(57)【要約】【課題】取り付けプレートの先端部の保護機能及び操作性の向上を図れる補助錠用金具及びこの金具を用いた補助錠装置を提供する。【解決手段】ドアとドア枠の隙間から該ドアの外側に突出する取り付けプレートに係合して用いられる補助錠用金具は、取り付けプレートが挿通される挿通孔をそれぞれ有し、互いに相対的に変位可能に結合され、かつそれぞれの挿通孔の少なくとも一部が重ね合わせ可能な内側部材と外側部材とを有し、内側部材と外側部材の少なくとも一方には、取り付けプレートを挿通した状態で取り付けプレートに形成された係合穴に係合する係合凸部が設けられ、且つ、内側部材と外側部材は、係合凸部が係合穴に係合した状態で重ね合わせ状態となる。【選択図】図１
2018184824.tif 000002
【特許請求の範囲】
【請求項１】
ドアとドア枠の隙間から該ドアの外側に突出する取り付けプレートに係合して用いられる補助錠用金具であって、
前記取り付けプレートが挿通される挿通孔をそれぞれ有し、互いに相対的に変位可能に結合され、かつそれぞれの前記挿通孔の少なくとも一部が重ね合わせ可能な内側部材と外側部材とを有し、
前記内側部材と前記外側部材の少なくとも一方には、前記取り付けプレートを挿通した状態で前記取り付けプレートに形成された係合穴に係合する係合凸部が設けられ、
且つ、前記内側部材と前記外側部材は、前記係合凸部が前記係合穴に係合した状態で重ね合わせ状態となる錠杆挿通孔をそれぞれ有していることを特徴とする補助錠用金具。
【請求項２】
前記内側部材と前記外側部材とは、重ね合わせ状態でスライド自在に結合され、
前記内側部材と前記外側部材とを互いに離れる方向にスライドさせたロック解除位置で前記取り付けプレートを前記各挿通孔の重なった部分に挿通可能であり、
前記係合凸部は、前記取り付けプレートを挿通した状態で前記内側部材と前記外側部材とを互いに近付くようにスライドさせたロック位置で前記取り付けプレートに形成された係合穴に係合するように構成されていることを特徴とする請求項１に記載の補助錠用金具。
【請求項３】
前記係合凸部が前記内側部材と前記外側部材の双方に設けられていることを特徴とする請求項２に記載の補助錠用金具。
【請求項４】
前記係合凸部が、前記挿通孔の周縁から内方に突出する形状を有し、前記内側部材と前記外側部材を互いに近付くようにスライドさせたときこれらの係合凸部がその厚み方向に重なった状態で互いに前記係合穴に係合することを特徴とする請求項３に記載の補助錠用金具。
【請求項５】
前記内側部材と前記外側部材の少なくとも一方に、スライド操作を行うための摘み部が設けられていることを特徴とする請求項２から４のいずれか１項に記載の補助錠用金具。
【請求項６】
前記摘み部が前記内側部材又は前記外側部材の一部を折り曲げて形成されていることを特徴とする請求項５に記載の補助錠用金具。
【請求項７】
前記内側部材と前記外側部材とは、片端が回動自在に結合され、前記内側部材には、前記取り付けプレートを挿通した状態で前記取り付けプレートに形成された係合穴に係合する係合凸部が設けられ、
前記内側部材と前記外側部材とが互いに重なった状態で前記係合凸部が前記取り付けプレートに形成された係合穴に係合するロック位置となり、
前記内側部材と前記外側部材とが互いに開いた状態で前記係合凸部が前記係合穴から抜け出し可能に構成されていることを特徴とする請求項１に記載の補助錠用金具。
【請求項８】
前記錠杆挿通孔が、前記内側部材と前記外側部材のそれぞれ複数箇所に設けられていることを特徴とする請求項１から７のいずれか１項に記載の補助錠用金具。
【請求項９】
請求項１から８のいずれか１項に記載の補助錠用金具と、前記取り付けプレートと、前記補助錠用金具の前記錠杆挿通孔に挿通する錠杆を有する錠とを備えていることを特徴とする補助錠装置。
【発明の詳細な説明】
【技術分野】
【０００１】
本発明は、開き戸において、既設の錠とは別個にその開き戸のロック及びロック解除を行うための補助錠用金具及びこの補助錠用金具を用いた補助錠装置に関する。
【背景技術】
【０００２】
アパートやマンション等の部屋を改修工事する場合や、入居希望者にアパートやマンション等の部屋を内覧のために案内する場合、工事業者又は不動産業者は多数の部屋の鍵を持ってそれぞれの部屋の開閉を行う。この場合、多数の鍵を持ち歩いて使用及び管理する必要があり、非常に不便であると共に鍵を紛失してしまう可能性もある。
【０００３】
このような問題に対する対策の一例として、開き戸の開閉を既設の錠を使用せずに、仮設的に設けられて南京錠等の簡易錠で施解錠する補助錠装置が知られている。この種の補助錠装置は、開き戸（以下、「ドア」ともいう）及び戸枠（以下、「ドア枠」ともいう）に加工を施すことなく南京錠等を簡単に取り付けることができる構成となっている。具体的に説明すると、例えば、特許文献１、２に記載されているように、ドアの内側においてドア枠にネジの締付力で固定された取り付けプレートの先端部をドアとドア枠の隙間から外部に突出させ、該先端部とこれに嵌合する係止金具の双方に形成された錠杆挿通孔に南京錠等の錠杆を挿通してロックする構成となっている。
【０００４】
係止金具は、取り付けプレートの先端部に嵌合してその外側を覆う程度の大きさとなっている。
【先行技術文献】
【特許文献】
【０００５】
【特許文献１】実公昭５５−２９６４９号公報
【特許文献２】特開２００２−１６８０２２号公報
【発明の概要】
【発明が解決しようとする課題】
【０００６】
特許文献１、２に開示されている補助錠装置では、係止金具が取り付けプレートの先端部を覆うだけの簡単且つ小サイズの構成となっているので、外力が作用した場合に取り付けプレートの先端部が係止金具で保護されずに折れ曲がったり、手持ち部分の面積が少ないためにロック・ロック解除時の操作性（取り扱い性）が低い等の懸念があった。
【０００７】
本発明はこのような現状に鑑みて創案されたものであり、取り付けプレートの先端部の保護機能及び操作性の向上を図れる補助錠用金具及びこの金具を用いた補助錠装置の提供を目的とする。
【課題を解決するための手段】
【０００８】
上記目的を達成するために、本発明は、ドアとドア枠の隙間から該ドアの外側に突出する取り付けプレートに係合して用いられる補助錠用金具であって、取り付けプレートが挿通される挿通孔をそれぞれ有し、互いに相対的に変位可能に結合され、かつそれぞれの挿通孔の少なくとも一部が重ね合わせ可能な内側部材と外側部材とを有し、内側部材と外側部材の少なくとも一方には、取り付けプレートを挿通した状態で取り付けプレートに形成された係合穴に係合する係合凸部が設けられ、且つ、内側部材と外側部材は、係合凸部が係合穴に係合した状態で重ね合わせ状態となる錠杆挿通孔をそれぞれ有していることを特徴とする。
【０００９】
内側部材と外側部材とからなる重ね合わせ構造において、これらは互いに相対的に変位可能に結合され、かつそれぞれの挿通孔の少なくとも一部が重ね合わせ可能で、取り付けプレートの先端部に係合する構成であるため、取り付けプレートの先端部を保護する強度及び構成を確保できる。また、これらの一方を片手で他方をもう一方の手で持ってロック、ロック解除ができ、操作性を向上させることができる。
【００１０】
内側部材と外側部材とは、重ね合わせ状態でスライド自在に結合され、内側部材と前記外側部材とを互いに離れる方向にスライドさせたロック解除位置で取り付けプレートを各挿通孔の重なった部分に挿通可能であり、係合凸部は、取り付けプレートを挿通した状態で内側部材と外側部材とを互いに近付くようにスライドさせたロック位置で取り付けプレートに形成された係合穴に係合するように構成されていることが好ましい。これにより、内側部材と外側部材とからなる重ね合わせ構造において、これらを互いに近付くようにスライドさせて取り付けプレートの先端部に係合する構成であるため、取り付けプレートの先端部を保護する強度及び構成を確保できる。また、内側部材と外側部材は互いにスライド自在に設けられているので、これらの一方を片手で他方をもう一方の手で持ってロック、ロック解除ができ、操作性を向上させることができる。
【００１１】
係合凸部が内側部材と外側部材の双方に設けられていることが好ましい。これにより、取り付けプレートとの係合強度（ロック強度）を高めることができる。
【００１２】
係合凸部が、挿通孔の周縁から内方に突出する形状を有し、内側部材と外側部材を互いに近付くようにスライドさせたときこれらの係合凸部がその厚み方向に重なった状態で互いに係合穴に係合することが好ましい。これにより、取り付けプレートとの係合強度を更に高めることができる。
【００１３】
内側部材と外側部材の少なくとも一方に、スライド操作を行うための摘み部が設けられていることが好ましい。これにより、操作性を更に向上させることができる。
【００１４】
摘み部が内側部材又は外側部材の一部を折り曲げて形成されていることが好ましい。このようにすれば、単板から摘み部を形成することができ、製造が容易となる。
【００１５】
内側部材と外側部材とは、片端が回動自在に結合され、内側部材には、取り付けプレートを挿通した状態で取り付けプレートに形成された係合穴に係合する係合凸部が設けられ、内側部材と外側部材とが互いに重なった状態で係合凸部が取り付けプレートに形成された係合穴に係合するロック位置となり、内側部材と外側部材とが互いに開いた状態で係合凸部が係合穴から抜け出し可能に構成されていることが好ましい。これにより、内側部材と外側部材とは、片端が回動自在に連結されており、外側部材を回動することで取り付けプレートの先端部に係合する構成であるため、取り付けプレートの先端部を保護する強度及び構成を確保できる。また、内側部材と外側部材とは片端が回動自在に結合されているので、これらの一方を片手で他方をもう一方の手で持ってロック、ロック解除ができ、操作性を向上させることができる。
【００１６】
錠杆挿通孔が、内側部材と外側部材のそれぞれ複数箇所に設けられていることが好ましい。これにより、補助錠用金具を２つ以上の錠で施錠することができ、防犯性を高めることができる。
【００１７】
また、本発明は、上述した補助錠用金具と、取り付けプレートと、補助錠用金具の錠杆挿通孔に挿通する錠杆を有する錠とを備えていることを特徴とする。これにより、何らの加工を施すことなく、簡易にドアをロックすることができる。
【発明の効果】
【００１８】
本発明の補助錠用金具及び補助錠装置によれば、取り付けプレートの先端部の保護機能及び操作性の向上を図れる補助錠用金具及びこの金具を用いた補助錠装置を提供することができる。
【図面の簡単な説明】
【００１９】
【図１】本発明の第１の実施形態に係る補助錠装置の構成を概略的に示す斜視図である。
【図２】第１の実施形態の補助錠用金具をロック解除位置に設定して取り付けプレートに挿通する直前の状態を概略的に示す断面図である。
【図３】第１の実施形態の補助錠用金具を取り付けプレートに挿通した状態を概略的に示す断面図である。
【図４】図１に示した補助錠装置によるドアのロック状態を概略的に示す断面図である。
【図５】第１の実施形態の補助錠用金具の構成を概略的に示す分解斜視図である。
【図６】第１の実施形態の補助錠用金具のロック位置での状態を概略的に示す斜視図である。
【図７】第１の実施形態の補助錠用金具のロック解除位置での状態を示す正面図である。
【図８】第１の実施形態の補助錠用金具のロック位置での状態を示す正面図である。
【図９】第１の実施形態における取り付けプレートの先端部の係合穴に補助錠用金具の係合凸部が進入して係合する状態を示す要部斜視図である。
【図１０】第１の実施形態における補助錠装置の使用状態の他例を示す斜視図である。
【図１１】本発明の第２の実施形態に係る補助錠装置の構成を概略的に示す斜視図である。
【図１２】第２の実施形態の補助錠用金具の構成を概略的に示す斜視図である。
【図１３】第２の実施形態の補助錠用金具のロック位置での状態を示す正面図、側面図及び断面図である。
【図１４】第２の実施形態の補助錠用金具のロック解除位置での状態を示す正面図、側面図及び断面図である。
【発明を実施するための形態】
【００２０】
以下、本発明に係る補助錠用金具及び補助錠装置の実施形態を、図を参照して説明する。
【００２１】
図１は本発明の第１の実施形態に係る補助錠装置２の構成を示しており、同図において、補助錠装置２によりドア６をロックしている状態を示している。図２はロック解除位置に設定された補助錠用金具１４を取り付けプレート１０に挿通する前の状態を示しており、図３は取り付けプレート１０に補助錠用金具１４を挿通した状態を示しており、図４は取り付けプレート１０に補助錠用金具１４を挿通した後に補助錠用金具１４をロック位置に設定して補助錠用金具１４を南京錠２０で施錠した状態を示している。図５は補助錠用金具１４の各部の構成を示している。図６は、図５で示した内側部材２２と外側部材２４とを連結ピン２６で一体に結合した状態で且つロック位置の状態を示している。図７は補助錠用金具１４のロック解除位置を示しており、図８は補助錠用金具１４のロック位置を示している。
【００２２】
図１〜図４に示すように、補助錠装置２は、ドア枠４に固定され、先端部１２がドア６とドア枠４との隙間８からドア６の外側に突出（露出）する取り付けプレート１０と、取り付けプレート１０の先端部１２に係合して用いられる補助錠用金具１４と、補助錠用金具１４を施錠する南京錠２０とを備えている。ドア６は、図１の矢印Ｒ方向に回動する開き戸タイプのドアである。図示しないが、ドア６には該ドアの施解錠を本来的に行う錠（本錠）が設けられている。すなわち、補助錠装置２は、本錠とは別個に仮設的に設けられ、ドア６の施解錠を簡易的に行うものである。
【００２３】
図２〜図４に示すように、取り付けプレート１０は、ドア６の内側において、ドア枠４に固定ネジ１６の締め付け力のみで固定されている。すなわち、取り付けプレート１０は、ドア枠４の室内側の凹凸形状を利用してドア枠４に何ら加工を施すことなく固定されている。このため、補助錠装置２の設置において、ドア枠４やドア６に対する工事は不要である。取り付けプレート１０の先端部１２はドア６の外側に突出し、先端部１２に形成された係合穴１８に補助錠用金具１４を係合することによって補助錠装置２によるドア６のロック（施錠）がなされる。
【００２４】
補助錠装置２によるロック状態を示す図１及び図４では、取り付けプレート１０の先端部１２に形成された係合穴１８に補助錠用金具１４の後述する係合凸部が係合し、且つ、補助錠用金具１４のスライド操作によるロック解除操作ができないように補助錠用金具１４が南京錠２０で施錠されている。
【００２５】
図５〜図８に示すように、補助錠用金具１４は、ドア６側の内側部材２２と外側部材２４とを重ね合わせ状態に且つスライド自在に連結ピン２６で一体に結合した構成を有している。内側部材２２と外側部材２４の各々は、例えばステンレス等の１枚の金属板にプレス加工により形成されている。連結ピン２６は外側部材２４の挿通孔６４、内側部材２２の移動用孔４２を挿通した後、ブッシュナット７０に通され、先端はカシメ等による抜け止め処理がなされている。
【００２６】
図５に示すように、内側部材２２は、平板状のベースプレート２７の上下方向（Ｙ方向）の端部をドア側（内側）に折り曲げて形成されたドア当接片２８を有している。各ドア当接片２８の左右方向（Ｘ方向）の一方側には錠杆挿通孔３０を有する施錠用片３２が外側（Ｚ方向）に立ち上げられ、対向配置されている。各ドア当接片２８の左右方向の他方側には、スライド操作用の摘み部３４が外側に立ち上げられ、対向配置されている。ベースプレート２７の摘み部３４側には、錠杆挿通孔３６を有する１つの施錠用片３８が外側に立ち上げられている。ベースプレート２７の中央領域には、取り付けプレート１０の先端部１２が挿通される挿通孔４０が形成されていると共に、連結ピン２６の移動用孔４２が長穴状に形成されている。挿通孔４０には、この挿通孔４０の周縁から内方に平面的に突出するように係合凸部４４が形成されている。各ドア当接片２８には、ドア６やドア枠４の表面を傷付けず且つ当接音を緩和するためのゴム等の緩衝材４６が嵌合して設けられている。各摘み部３４の外面はゴム等の緩衝材４８で被覆され、指で摘むときの感触と滑りにくさの向上（操作性の向上）が図られている。
【００２７】
外側部材２４は、ベースプレート５０の上下方向の端部を外側に折り曲げて形成された摺動ガイド片５２を有している。各摺動ガイド片５２には、錠杆挿通孔５４が対向して形成されており、これらの錠杆挿通孔５４は、内側部材２２と外側部材２４とを互いに近付くようにスライドさせたロック位置で、内側部材２２の錠杆挿通孔３０と重ね合わせ状態となる。ベースプレート５０の左右方向の一方側、換言すれば、内側部材２２の摘み部３４側と反対側には、スライド操作用の１つの摘み部５６が外側に立ち上げられている。摘み部５６の外面は、ゴム等の緩衝材５８で被覆され、指で摘むときの感触と滑りにくさの
向上が図られている。ベースプレート５０の他方側には、錠杆挿通孔６０を有する施錠用片６２が外側に立ち上げられている。また、ベースプレート５０には、連結ピン２６の挿通孔６４が形成されていると共に、中央領域には取り付けプレート１０の先端部１２が挿通される挿通孔６６が形成されている。挿通孔６６には、該挿通孔６６の周縁から内方に平面的に且つ内側部材２２の係合凸部４４とは逆向きに突出するように係合凸部６８が形成されている。
【００２８】
補助錠用金具１４をロック解除位置にする場合、図７に示すように、例えば、内側部材２２の２つの摘み部３４を右手の親指と人差し指で摘み、外側部材２４の１つの摘み部５６を左手の親指と人差し指で摘んだ状態で内側部材２２と外側部材２４とが互いに離れるように左右方向（図中矢印方向）にスライドさせると、連結ピン２６が移動用孔４２の左端に当たってそれ以上のスライド移動が規制される。この位置が補助錠用金具１４と取り付けプレート１０とのロック解除位置（図２及び図３に示す位置）である。このロック解除位置では、内側部材２２の挿通孔４０と外側部材２４の挿通孔６６との間に、係合凸部４４及び６８が存在しない重なり部分４５ができ、取り付けプレート１０の先端部１２をスムーズに挿通可能となる。
【００２９】
また、図２に示すように、補助錠用金具１４をロック解除位置に設定した状態で、挿通孔４０と６６の重なり部分４５を取り付けプレート１０の先端部１２に対向させ、押し込むと、図３に示すように、取り付けプレート１０の先端部１２が重なり部分４５に挿通され、内側部材２２のドア当接片２８が緩衝材４６を介してドア６とドア枠４の外表面に当接する。換言すれば、補助錠用金具１４をドア６とドア枠４の外表面に対して安定当接状態とすることができる。図２における補助錠用金具１４は、図７のＡ−Ａ線での断面図として示している。
【００３０】
このロック解除位置の状態で、内側部材２２と外側部材２４を互いに近付くようにスライドさせると、図８に示すように、連結ピン２６が移動用孔４２の右端に当たってそれ以上のスライド移動が規制される。この位置が補助錠用金具１４と取り付けプレート１０とのロック位置（図１及び図４に示す位置）である。ロック位置へ向けたスライド操作において、図９に示すように、取り付けプレート１０の先端部１２に形成された係合穴１８に、内側部材２２の係合凸部４４と外側部材２４の係合凸部６８とが互いに逆向きに進入し、厚み方向に重なった状態に係合穴１８に係合して図４に示す状態となる。図４はロック状態での全体構成を示す、図８のＢ−Ｂ線での断面図である。
【００３１】
内側部材２２と外側部材２４がロック位置にある状態で、図１に示すように、南京錠２０の錠杆を、外側部材２４の錠杆挿通孔５４と内側部材２２の錠杆挿通孔３０とに貫通して通し施錠する。これにより補助錠用金具１４はスライド操作できなくなり、補助錠用金具１４と取り付けプレート１０との係合状態、すなわち補助錠装置２によるドア６のロック状態が完成する。本実施形態では南京錠２０による補助錠用金具１４の施錠箇所は３箇所あり、いずれの箇所で施錠してもよく、また、複数の南京錠２０で施錠して防犯性を高めるようにしてもよい。勿論施錠箇所は１箇所のみ設けてもよい。また、補助錠用金具１４のスライド操作をロックする施錠手段としては、図１０に示すように、南京錠２０に限らずディンプル錠７４等の他の錠でもよく、南京錠２０と共に用いてもよい。
【００３２】
また、本実施の形態において、図１に示すように、補助錠用金具１４のドア６側（厳密には内側部材２２のドア６側）は、ドア６の外表面とドア枠４の外表面とに跨って当接し、取り付けプレート１０の先端部１２はその一部が補助錠用金具１４の内方中央部に突出しているだけである。このため、先端部１２を曲げる外力に対する保護機能及びその安定性が高い。また、内側部材２２の２つの摘み部３４は離れているために親指と人さし指又は親指と中指で摘み易く、両手で安定的に持つことができ、操作性を向上させることができる。対向する２つの摘み部３４は外側部材２４に設けてもよく、摘み部３４の形成する位置や数は限定されない。
【００３３】
補助錠装置２によるドア６のロック状態を解除する場合には、南京錠２０による補助錠用金具１４の施錠を解除し、内側部材２２と外側部材２４とを持ってロック解除位置にスライドさせる。ロック解除位置は、図２や図３に示す状態となる。この状態で補助錠用金具１４を手前に引き抜くと、補助錠用金具１４と取り付けプレート１０との係合が外れ、ドア６を開閉することができる。
【００３４】
図１に示すように、外側部材２４のベースプレート５０の摘み部５６側には、ロックとロック解除の操作が容易にできるように、操作説明シールが貼られている。操作説明シールには、ロック操作を示す「ＬＯＣＫ」の文字とその方向を示す矢印、ロック解除操作を示す「ＯＰＥＮ」の文字とその方向を示す矢印が記されている。操作説明の表示は、シールを貼らずに外側部材２４のベースプレート５０に直接刻印してもよい。
【００３５】
上述したように、内側部材２２と外側部材２４は、１枚の金属板をプレス加工等によって加工して錠杆挿通孔や挿通孔等を一工程で形成し、その後必要部位を曲げ加工することにより容易に作製することができる。なお、内側部材２２と外側部材２４は、エンジニアリングプラスチック等の合成樹脂による一体成形で作製してもよい。
【００３６】
また、係合凸部は内側部材２２と外側部材２４のいずれか一方に設けてもよい。即ち、挿通孔４０及び６６のうち一方は係合凸部４４又は６８が存在しない四角形状としてもよい。本実施形態のように内側部材２２と外側部材２４の双方に係合凸部４４及び６８を設ける構成とすれば、係合凸部が二重になった状態で取り付けプレート１０との係合がなされるので、係合強度、すなわち補助錠装置２によるドア６のロック強度を向上させることができる利点を有している。
【００３７】
上記実施形態では、補助錠用金具１４の操作方向を特定したが、内側部材２２の摘み部３４と外側部材２４の摘み部５６の位置が左右逆となるようにして使用することもできる。
【００３８】
図１１は本発明の第２の実施形態に係る補助錠装置２Ａの構成を示している。図１２は第２の実施形態の補助錠用金具１４Ａの構成を示しており、同図（ａ）は補助錠用金具１４Ａのロック位置での状態を示しており、（ｂ）は補助錠用金具１４Ａのロック解除位置での状態を示している。図１３は補助錠用金具１４Ａのロック位置での状態を示しており、同図（ａ）は補助錠用金具１４Ａの正面図であり、（ｂ）は補助錠用金具１４Ａの側面図であり、（ｃ）はＣ−Ｃ線断面図である。図１４は補助錠用金具１４Ａのロック解除位置での状態を示しており、同図（ａ）は正面図であり、（ｂ）は側面図であり、（ｃ）はＤ−Ｄ線断面図である。
【００３９】
図１１〜図１４に示すように、補助錠装置２Ａは、ドア枠４に固定され、先端部１２がドア６とドア枠４との隙間８からドア６の外側に突出（露出）する取り付けプレート１０と、取り付けプレート１０の先端部１２に係合して用いられる補助錠用金具１４Ａと、補助錠用金具１４Ａを施錠する南京錠２０とを備えている。
【００４０】
取り付けプレート１０は、上述した第１の実施形態と同様な構成を有しているので、詳細な説明を省略する。
【００４１】
補助錠用金具１４Ａは、ドア６側の内側部材２２Ａと外側部材２４Ａとは、片端が回動自在に結合（連結）され、内側部材２２Ａには、取り付けプレート１０を挿通した状態で取り付けプレート１０の先端部１２に形成された係合穴１８に係合する係合凸部４４が設けられ、内側部材２２Ａと外側部材２４Ａとが互いに重なった状態で係合凸部４４が取り付けプレート１０の先端部１２に形成された係合穴１８に係合するロック位置となり、内側部材２２Ａと外側部材２４Ａとが互いに開いた状態で係合凸部４４が係合穴１８から抜け出し可能に構成されている。
【００４２】
内側部材２２Ａと外側部材２４Ａは、例えばステンレス等の１枚の金属板にプレス加工により形成されており、片端はヒンジ部材（例えば、蝶番）８０を介して回動自在に連結されている。補助錠用金具１４Ａは、外側部材２４Ａがヒンジ部材８０を介して回動することで、ロック位置又はロック解除位置になる。
【００４３】
内側部材２２Ａは、平板状のベースプレート２７の上下方向の端部をドア６側（内側）に折り曲げて形成されたドア当接片２８を有している。ベースプレート２７の左右方向の一方側には錠杆挿通孔３０ａを有する施錠用片３２が外側に立ち上げられ、対向配置されていると共に、ベースプレート２７の上下方向の中央部に錠杆挿通孔３６を有する１つの施錠用片３８が外側に立ち上げられている。ベースプレート２７の左右方向の他方側には、ヒンジ部材８０が連結されている。ベースプレート２７の中央領域には、取り付けプレート１０の先端部１２が挿通される挿通孔４０が形成されている。この挿通孔４０には、この挿通孔４０の周縁から内方に平面的に突出するように係合凸部４４が形成されている。各ドア当接片２８には、ドア６やドア枠４の表面を傷付けず且つ当接音を緩和するためのゴム等の緩衝材４６が嵌合して設けられている。
【００４４】
外側部材２４Ａは、ベースプレート５０の上下方向の端部を外側に折り曲げて形成された１対の側片５２を有している。各側片５２の一端側（即ち、ベースプレート５０の左右方向の一方側）には、錠杆挿通孔３０ｂ及び回動操作用の摘み部３４が設けられていると共に、ベースプレート５０の上下方向の中央部に錠杆挿通孔６０を有する１つの施錠用片６２が外側に立ち上げられている。摘み部３４の外面は、ゴム等の緩衝材４８で被覆され、指で摘むときの感触と滑りにくさの向上が図られている。また、ベースプレート５０の中央領域には取り付けプレート１０の先端部１２が挿通される挿通孔６６が形成されている。この挿通孔６６は、ロック位置で、内側部材２２Ａの挿通孔４０の係合凸部４４を有する側と重ね合わせ状態となるように構成されている。また、ベースプレート５０の左右方向の他方側には、ヒンジ部材８０が連結されている。
【００４５】
本実施形態において、外側部材２４Ａを回動させ、開く状態にすると、補助錠用金具１４Ａがロック解除位置になる。この場合、内側部材２２Ａの係合凸部４４が取り付けプレート１０の先端部１２の係合穴１８から抜け出すことができ、補助錠用金具１４Ａを取り付けプレート１０から取り外すことができる。一方、外側部材２４Ａを回動させ、閉じる状態（内側部材２２Ａと重なる状態）にすると、補助錠用金具１４Ａがロック位置になる。この場合、内側部材２２Ａの係合凸部４４を取り付けプレート１０の先端部１２の係合穴１８から抜き出すことが制限されている。
【００４６】
以上説明したように、本実施形態において、補助錠装置２Ａは、ドア枠４に固定され、先端部１２がドア６とドア枠４との隙間８からドア６の外側に突出（露出）する取り付けプレート１０と、取り付けプレート１０の先端部１２に係合して用いられる補助錠用金具１４Ａと、補助錠用金具１４Ａを施錠する南京錠２０とを備えている。補助錠用金具１４Ａは、ドア側の内側部材２２Ａと外側部材２４Ａとは、片端が回動自在に結合され、内側部材２２Ａには、取り付けプレート１０を挿通した状態で取り付けプレート１０の先端部１２に形成された係合穴１８に係合する係合凸部４４が設けられ、内側部材２２Ａと外側部材２４Ａとが互いに重なった状態で係合凸部４４が取り付けプレート１０の先端部１２に形成された係合穴１８に係合するロック位置となり、内側部材２２Ａと外側部材２４Ａとが互いに開いた状態で係合凸部４４が係合穴１８から抜け出し可能に構成されている。
【００４７】
これにより、取り付けプレート１０の先端部１２を保護する強度及び構成を確保できる。また、内側部材２２Ａと外側部材２４Ａとは片端が回動自在に結合されているので、片手で外側部材２４Ａを回動させ、もう一方の手で内側部材２２Ａを持って係合凸部４４を取り付けプレート１０の先端部１２の係合穴１８から抜き出すことでロック、ロック解除ができ、操作性を向上させることができる。
【００４８】
上記実施形態で説明した本発明の補助錠装置２及び２Ａを用いることにより、アパートやマンション等の部屋を改修工事する場合や、入居希望者にアパートやマンション等の部屋を内覧のために案内する場合の簡易な施解錠装置を容易に仮設することができる。不要になった場合には取り付けプレート１０を外すことにより容易に装置全体を撤去できる。常設的に残すようにしてもよい。この場合、本錠と共に防犯性を高めるための補助錠として機能させることができる。
【００４９】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００５０】
２、２Ａ  補助錠装置
４  ドア枠
６  ドア
８  隙間
１０  取り付けプレート
１４、１４Ａ  補助錠用金具
１８  係合穴
２０  錠としての南京錠
２２、２２Ａ  内側部材
２４、２４Ａ  外側部材
３０、３０ａ、３０ｂ、３６、５４、６０  錠杆挿通孔
３４、５６  摘み部
４０、６６  挿通孔
４４、６８  係合凸部
４５  重なった部分
７４  錠としてのディンプル錠
８０  ヒンジ部材
【図１】
2018184824.tif 000003
【図２】
2018184824.tif 000004
【図３】
2018184824.tif 000005
【図４】
2018184824.tif 000006
【図５】
2018184824.tif 000007
【図６】
2018184824.tif 000008
【図７】
2018184824.tif 000009
【図８】
2018184824.tif 000010
【図９】
2018184824.tif 000011
【図１０】
2018184824.tif 000012
【図１１】
2018184824.tif 000013
【図１２】
2018184824.tif 000014
【図１３】
2018184824.tif 000015
【図１４】
2018184824.tif 000016